(57)【要約】【課題】  本発明は、認証精度を損なうことなく登録者に対する待ち期間を短縮し得る認証装置を提案するものである。【解決手段】  認証対象のパターン情報に基づいて、登録された登録パターン情報に対応する認証対象であるか否かを判定する認証装置において、認証対象を撮像する撮像手段と、撮像手段から順次出力される複数の画像からパターン情報をそれぞれ抽出する抽出手段と、抽出手段により抽出された各パターン情報と、登録パターン情報とを順次照合する照合手段とを設け、照合手段は、登録パターン情報に対応する認証対象を表す照合結果が得られたときに、照合の処理を停止するようにした。【選択図】        図２
2006221256.tif 000002
【特許請求の範囲】
【請求項１】
認証対象のパターン情報に基づいて、登録された登録パターン情報に対応する上記認証対象であるか否かを判定する認証装置において、
上記認証対象を撮像する撮像手段と、
上記撮像手段から順次出力される複数の画像から上記パターン情報をそれぞれ抽出する抽出手段と、
上記抽出手段により抽出された各上記パターン情報と、上記登録パターン情報とを順次照合する照合手段と
を具え、
上記照合手段は、
上記登録パターン情報に対応する上記認証対象を表す照合結果が得られたときに、上記照合の処理を停止する
ことを特徴とする認証装置。
【請求項２】
上記抽出手段により抽出された各上記パターン情報のうち、上記登録パターン情報と推定される上記パターン情報を検出する検出手段
を具え、
上記照合手段は、
上記検出手段により検出された上記パターン情報以後の各上記パターン情報と、上記登録パターン情報とを順次照合する
ことを特徴とする請求項１に記載の認証装置。
【請求項３】
上記検出手段は、
上記抽出手段により抽出された各上記パターン情報と、上記登録パターン情報とを上記照合手段の照合条件よりも簡易な照合条件のもとに照合して、上記登録パターン情報と推定される上記パターン情報を検出する
ことを特徴とする請求項２に記載の認証装置。
【請求項４】
上記検出手段は、
上記抽出手段により抽出された各上記パターン情報のうち、所定情報数おきの各上記パターン情報と、上記登録パターン情報とを上記簡易な照合条件のもとに照合して、上記登録パターン情報と推定される上記パターン情報を検出する
ことを特徴とする請求項３に記載の認証装置。
【請求項５】
上記検出手段の検出結果に応じて、上記登録パターン情報に対応する上記認証対象に近づいていることを通知する通知手段
を具えることを特徴とする請求項２に記載の認証装置。
【請求項６】
上記抽出手段により抽出された時間軸上に連続する各上記パターン情報のうち、着目する上記パターン情報の前に抽出された上記パターン情報に比して変化のあるパターン情報を検出する検出手段
を具え、
上記照合手段は、
上記検出手段により検出された各上記パターン情報と、上記登録パターン情報とを順次照合する
ことを特徴とする請求項１に記載の認証装置。
【請求項７】
認証対象のパターン情報に基づいて、登録された登録パターン情報に対応する上記認証対象であるか否かを判定する認証方法において、
上記認証対象を撮像する第１のステップと、
撮像された連続する複数の画像から上記パターン情報をそれぞれ抽出する第２のステップと、
抽出された各上記パターン情報と、上記登録パターン情報とを順次照合する第３のステップと
を具え、
上記第３のステップでは、
上記登録パターン情報に対応する上記認証対象を表す照合結果が得られたときに、上記照合の処理を停止する
ことを特徴とする認証方法。
【請求項８】
上記第３のステップでは、
抽出された各上記パターン情報のうち、上記登録パターン情報と推定される上記パターン情報を検出する検出ステップ
を具え、
上記検出ステップで検出された上記パターン情報以後の各上記パターン情報と、上記登録パターン情報とを順次照合する
ことを特徴とする請求項７に記載の認証方法。
【請求項９】
上記検出ステップでは、
抽出された各上記パターン情報と、上記登録パターン情報とを上記照合手段の照合条件よりも簡易な照合条件のもとに照合して、上記登録パターン情報と推定される上記パターン情報を検出する
ことを特徴とする請求項８に記載の認証方法。
【請求項１０】
上記検出ステップでは、
抽出された各上記パターン情報のうち、所定情報数おきの各上記パターン情報と、上記登録パターン情報とを上記簡易な照合条件のもとに照合して、上記登録パターン情報と推定される上記パターン情報を検出する
ことを特徴とする請求項８に記載の認証方法。
【請求項１１】
上記第３のステップでは、
抽出された各上記パターン情報のうち、上記登録パターン情報と推定される上記パターン情報を検出する検出ステップと、
上記検出ステップでの検出結果に応じて、上記登録パターン情報に対応する上記認証対象に近づいていることを通知する通知ステップと
を具え、
上記検出ステップで検出された上記パターン情報以後の各上記パターン情報と、上記登録パターン情報とを順次照合する
ことを特徴とする請求項７に記載の認証方法。
【請求項１２】
上記第３のステップでは、
抽出された時間軸上に連続する各上記パターン情報のうち、着目する上記パターン情報の前に抽出された上記パターン情報に比して変化のあるパターン情報を検出する検出ステップ
を具え、
上記検出ステップで検出された各上記パターン情報と、上記登録パターン情報とを順次照合する
ことを特徴とする請求項７に記載の認証方法。
【請求項１３】
認証対象のパターン情報に基づいて、登録された登録パターン情報に対応する上記認証対象であるか否かを判定する認証装置に対して、
上記認証対象を撮像する第１のステップと、
撮像された連続する複数の画像から上記パターン情報をそれぞれ抽出する第２のステップと、
抽出された各上記パターン情報と、上記登録パターン情報とを順次照合する第３のステップと
を実行させ、
上記第３のステップでは、
上記登録パターン情報に対応する上記認証対象を表す照合結果が得られたときに、上記照合の処理を停止する
ことを特徴とするプログラム。
【発明の詳細な説明】
【技術分野】
【０００１】
本発明は、認証装置及び認証方法並びにプログラムに関し、例えばバイオメトリクス認証する認証装置に適用して好適なものである。
【背景技術】
【０００２】
従来、この種の認証装置として、複数の指ごとに複数の指紋パターン情報を取得し、予め指ごとに登録された対応する登録指紋パターン情報と順次照合し終わった後に、登録者本人であるか否かを判定するようになされたものが提案されている（例えば特許文献１参照）。
【０００３】
この認証装置では、一の指における登録指紋パターン情報につき、複数の指紋パターン情報が照合されているため、撮像状況等に起因するノイズによって登録者本人の指紋パターン情報であるにもかかわらず、第三者であると誤判定するといった事態が低減されることになる。
【特許文献１】特開２００３−１６２７２２公報
【発明の開示】
【発明が解決しようとする課題】
【０００４】
しかしながら、かかる認証装置においては、一の指における登録指紋パターン情報につき、常に、複数の指紋パターン情報を照合することから、最初に照合した指紋パターン情報で登録者本人を表す照合結果が得られた場合であっても、残りの指紋パターン情報を照合しなければならず、登録者に対して無駄な待ち期間を強いらせてしまうという問題があった。
【０００５】
本発明は以上の点を考慮してなされたもので、認証精度を損なうことなく登録者に対する待ち期間を短縮し得る認証装置及び認証方法並びにプログラムを提案するものである。
【課題を解決するための手段】
【０００６】
かかる課題を解決するために本発明においては、認証対象のパターン情報に基づいて、登録された登録パターン情報に対応する認証対象であるか否かを判定する認証装置において、認証対象を撮像する撮像手段と、撮像手段から順次出力される複数の画像からパターン情報をそれぞれ抽出する抽出手段と、抽出手段により抽出された各パターン情報と、登録パターン情報とを順次照合する照合手段とを設け、照合手段は、登録パターン情報に対応する認証対象を表す照合結果が得られたときに、照合の処理を停止するようにした。
【０００７】
従って、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができる。
【０００８】
また本発明においては、認証対象のパターン情報に基づいて、登録された登録パターン情報に対応する認証対象であるか否かを判定する認証方法において、認証対象を撮像する第１のステップと、撮像された連続する複数の画像からパターン情報をそれぞれ抽出する第２のステップと、抽出された各パターン情報と、登録パターン情報とを順次照合する第３のステップとを設け、第３のステップでは、登録パターン情報に対応する認証対象を表す照合結果が得られたときに、照合の処理を停止するようにした。
【０００９】
従って、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができる。
【００１０】
さらに本発明においては、認証対象のパターン情報に基づいて、登録された登録パターン情報に対応する認証対象であるか否かを判定する認証装置に対して、プログラムによって、認証対象を撮像する第１のステップと、撮像された連続する複数の画像からパターン情報をそれぞれ抽出する第２のステップと、抽出された各パターン情報と、登録パターン情報とを順次照合する第３のステップとを実行し、第３のステップでは、登録パターン情報に対応する認証対象を表す照合結果が得られたときに、照合の処理を停止するようにした。
【００１１】
従って、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができる。
【発明の効果】
【００１２】
本発明によれば、認証対象のパターン情報に基づいて、登録された登録パターン情報に対応する認証対象であるか否かを判定する認証装置において、認証対象を撮像する撮像手段と、撮像手段から順次出力される複数の画像からパターン情報をそれぞれ抽出する抽出手段と、抽出手段により抽出された各パターン情報と、登録パターン情報とを順次照合する照合手段とを設け、照合手段は、登録パターン情報に対応する認証対象を表す照合結果が得られたときに、照合の処理を停止するようにしたことにより、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができ、かくして認証精度を損なうことなく登録者に対する待ち期間を短縮し得る認証装置を実現できる。
【００１３】
また本発明によれば、認証対象のパターン情報に基づいて、登録された登録パターン情報に対応する認証対象であるか否かを判定する認証方法において、認証対象を撮像する第１のステップと、撮像された連続する複数の画像からパターン情報をそれぞれ抽出する第２のステップと、抽出された各パターン情報と、登録パターン情報とを順次照合する第３のステップとを設け、第３のステップでは、登録パターン情報に対応する認証対象を表す照合結果が得られたときに、照合の処理を停止するようにしたことにより、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができ、かくして認証精度を損なうことなく登録者に対する待ち期間を短縮し得る認証方法を実現できる。
【００１４】
さらに本発明によれば、認証対象のパターン情報に基づいて、登録された登録パターン情報に対応する認証対象であるか否かを判定する認証装置に対して、プログラムによって、認証対象を撮像する第１のステップと、撮像された連続する複数の画像からパターン情報をそれぞれ抽出する第２のステップと、抽出された各パターン情報と、登録パターン情報とを順次照合する第３のステップとを実行し、第３のステップでは、登録パターン情報に対応する認証対象を表す照合結果が得られたときに、照合の処理を停止するようにしたことにより、登録パターン情報に対してリアルタイムに照合処理を行うことで、登録パターン情報に対応する認証対象を表す照合結果が得られたときに、即座に照合の処理を停止させるようになされているため、撮像状況等に起因するノイズによって登録パターン情報に対応する認証対象であるにもかかわらず、第三者であると誤判定し、また登録パターン情報に対応する認証対象を表す照合結果が得られた場合であっても、登録者に対して無駄な待ち期間を強いるといった事態を低減することができ、かくして認証精度を損なうことなく登録者に対する待ち期間を短縮し得るプログラムを実現できる。
【発明を実施するための最良の形態】
【００１５】
以下図面について、本発明の一実施の形態を詳述する。
【００１６】
（１）第１の実施の形態
（１−１）第１の実施の形態による携帯電話機の構成
図１において、１は全体として本実施の形態による携帯電話機を示し、中央のヒンジ部２を介して上部筐体３及び下部筐体４が連結されており、当該ヒンジ部２を介して携帯電話機１が折り畳み可能に形成されている。
【００１７】
この上部筐体３における筐体表面３Ａの正面中央には、液晶ディスプレイでなる表示部５が設けられており、当該表示部５を介して携帯電話機１の各種機能に対応した画像等の情報を表示し得るようになされている。また筐体背面３Ｂの上端右側には、アンテナ部６が伸縮自在に設けられており、当該アンテナ部６を介して基地局（図示せず）との間で電波を送受信し得るようになされている。さらに表示部５の上側には、スピーカ７が設けられており、当該スピーカ７を介して通信先ユーザの音声等を出力し得るようになされている。
【００１８】
一方、下部筐体４における筐体表面４Ａの正面中央には、複数の操作ボタンからなる操作部８が設けられており、各種命令の入力操作を行い得るようになされている。また筐体表面４Ａの下側には、マイクロホン９が設けられており、通話時のユーザの音声等を集音し得るようになされている。
【００１９】
かかる構成に加えてこの携帯電話機１には、下部筐体４における筐体表面４Ａの操作部８及びマイクロホン９間に、血管画像を撮像するための血管撮像部１０が設けられている。
【００２０】
この血管撮像部１０においては、図２（Ａ）に示すように、操作部８を操作することによって、当該血管撮像部１０における任意の位置に配置される指ＦＧに内在する血管を認証対象として一定の時間連続撮像し得るようになされている。
【００２１】
このとき血管撮像部１０においては、図２（Ｂ）に示すように、例えばユーザが指ＦＧを当該血管撮像部１０上の一方側から他方側に水平移動したり、図２（Ｃ）に示すように、例えばユーザが指ＦＧを当該血管撮像部１０上で上下左右方向に移動する等して連続撮像されているときに、当該ユーザ自らが自発的に指ＦＧの配置位置を是正することができるようになされている。
【００２２】
（１−２）血管画像撮像機能
次に、具体的にユーザがかかる血管撮像部１０上の任意の位置に指ＦＧを配置した場合についての当該血管撮像部１０における血管画像撮像機能について説明する。
【００２３】
この場合、血管撮像部１０には、図３に示すように、下部筐体４における筐体表面４Ａの所定位置に撮像開口部１１が設けられている一方、当該撮像開口部１１の表面には、所定材質でなる無色透明の開口カバー部１２が設けられており、また下部筺体４Ａの内部における撮像開口部１１の直下には、カメラ部１３が配設されている。
【００２４】
また血管撮像部１０には、筐体表面４Ａ上に撮像開口部１１を挟み込むようにしてヘモグロビンに特異的に吸収される近赤外光を血管の撮像光として撮像開口部１１上に照射する１対の近赤外光光源１４（１４Ａ及び１４Ｂ）が設けられている。
【００２５】
従って、この血管撮像部１０では、撮像開口部１１上に載置された指ＦＧに近赤外光光源１４からの近赤外光が照射され、その内方に入射する近赤外光は、血管を通るヘモグロビンに吸収されると共に血管以外の組織において散乱するようにして指ＦＧ内方を経由し、当該指ＦＧから血管を投影する近赤外光（以下、これを血管投影光と呼ぶ）として、撮像開口部１１及び開口カバー部１２を順次介してカメラ部１３に入射する。
【００２６】
さらにカメラ部１３においては、マクロレンズ１５と、酸素化及び脱酸素化双方のヘモグロビンに依存性の有する波長域（およそ900[nm]〜1000[nm]）の近赤外光だけを透過する近赤外光透過フィルタ１６と、ＣＣＤ（Charge Coupled Device）撮像素子１７とが順次配設されており、開口カバー部１２から入射する血管投影光をマクロレンズ１５及び近赤外光透過フィルタ１６を順次介してＣＣＤ撮像素子１７の撮像面に導光する。これによりこのカメラ部１３は、生体の末端となる指ＦＧの内方に混在する静脈系及び動脈系双方の毛細血管を忠実に結像し得るようになされている。
【００２７】
そしてＣＣＤ撮像素子１７は、撮像処理部２３による制御のもとに、撮像面に結像される血管を撮像し、当該撮像結果を画像信号（以下、これを血管画像信号と呼ぶ）ＳＡ（ＳＡ１、ＳＡ２、……、ＳＡｎ）として撮像処理部２３に順次出力するようになされている。
【００２８】
このようにしてこの携帯電話機１では、人体の指ＦＧ内方における血管画像を撮像し得るようになされている。
【００２９】
（１−３）携帯電話機の内部構成
この携帯電話機１は、図４に示すように、制御部２１対して通信処理部２２、撮像処理部２３、記憶部２４、表示部５及び操作部８をバス２５を介してそれぞれ接続することによって構成されている。
【００３０】
この制御部２１は、携帯電話機１全体の制御を司るＣＰＵ(Central Processing Unit)（図示せず）と、各種プログラムが格納されるＲＯＭ(Read Only Memory)（図示せず）と、当該ＣＰＵのワークメモリとしてのＲＡＭ(Random Access Memory)（図示せず）とを含むマイクロコンピュータ構成でなる。
【００３１】
この場合、制御部２１では、操作部８を介して入力された通話処理命令や電子メール処理命令に応じてＲＯＭに格納されているプログラムを適宜読み出してＲＡＭに展開し、展開されたプログラムに従って携帯電話機１の基本的な処理について統括的に制御し、これを実行するようになされており、必要に応じて当該処理結果を表示部５に表示するようになされている。
【００３２】
実際上、制御部２１は、操作部８から発呼命令が与えられ、又は通信処理部２２から着信命令が与えられると、当該通信処理部２２を制御し、発呼時の処理及び着信時の操作に基づいて通話処理を実行する。
【００３３】
この通信処理部２２は、信号処理部２６に対して、送受信部２７、スピーカ７及びマイクロホン９が接続されて構成される。また送受信部２７には、アンテナ部６が接続されており、当該アンテナ部６を介して各種信号の送受信を行うようになされている。
【００３４】
そして通信処理部２２は、マイクロホン９を介して入力されるユーザの音声を信号処理部２６において発話信号に変換し、当該発話信号を送受信部２７において変調した後に増幅し、アンテナ部６を介して基地局（図示せず）に送信する一方、基地局（図示せず）からアンテナ部６を介して送受信部２７に受信した相手ユーザの音声信号を、信号処理部２６において受話信号に変換し、当該受話信号に基づく受話音声をスピーカ７から出力することによって、通話し得るようになされている。
【００３５】
一方、制御部２１は、操作部８から登録者の血管を登録するモード（以下、これを血管登録モードと呼ぶ）の実行命令ＣＯＭ１又は登録者本人の有無を判定するモード（以下、これを認証モードと呼ぶ）の実行命令ＣＯＭ２が与えられると、撮像処理部２３を制御し、血管登録処理及び認証処理を実行する。
【００３６】
この場合、制御部２１は、操作部８から血管登録モードの実行命令ＣＯＭ１が与えられた場合には、ＲＯＭ（図示せず）に格納された対応するプログラムに基づいて、動作モードを血管登録モードに遷移して血管撮像駆動部２８、画像処理部２９及び認証部３０をそれぞれ制御する。
【００３７】
血管撮像駆動部２８は、近赤外光光源１４及びカメラ部１３のＣＣＤ撮像素子１７をそれぞれ駆動するようにして血管撮像部１０を起動する。この結果、血管撮像部１０では、近赤外光光源１４からこのとき図２（Ａ）のように配置された撮像者の指ＦＧの指腹側部に近赤外光が照射され、当該指ＦＧを経由してＣＣＤ撮像素子１７の撮像面に導光される血管投影光がこのＣＣＤ撮像素子１７から血管画像信号ＳＡ（ＳＡ１、ＳＡ２、……、ＳＡｎ）として画像処理部２９のＡ／Ｄ(Analog/Digital)変換部２９Ａに順次出力される。
【００３８】
Ａ／Ｄ変換部２９Ａは、血管画像信号ＳＡ（ＳＡ１、ＳＡ２、……、ＳＡｎ）に対してＡ／Ｄ変換処理を施し、この結果得られる血管画像のデータ（以下、これを血管画像データと呼ぶ）ＤＡ（ＤＡ１、ＤＡ２、……、ＤＡｎ）をフィルタ部２９Ｂに送出する。
【００３９】
フィルタ部２９Ｂは、血管画像データＤＡ（ＤＡ１、ＤＡ２、……、ＤＡｎ）に対して、ノイズ成分除去及び輪郭強調等に対応する各種フィルタリング処理を施し、この結果得られる血管画像データＤＢ（ＤＢ１、ＤＢ２、……、ＤＢｎ）を２値化部２９Ｃに送出する。
【００４０】
２値化部２９Ｃは、血管画像データＤＢ（ＤＢ１、ＤＢ２、……、ＤＢｎ）に対して２値化処理を施し、この結果得られる白黒の血管画像（以下、これを２値血管画像と呼ぶ）のデータ（以下、これを２値血管画像データと呼ぶ）ＤＣ（ＤＣ１、ＤＣ２、……、ＤＣｎ）を細線化部２９Ｄに送出する。
【００４１】
細線化部２９Ｄは、２値血管画像データＤＣ（ＤＣ１、ＤＣ２、……、ＤＣｎ）に対して、例えばモルフォロジー処理を施すようにして、当該２値血管画像データＤＣ（ＤＣ１、ＤＣ２、……、ＤＣｎ）に基づく２値血管画像の血管に対して線状化処理を施し、この結果得られる線状化された血管（以下、これを血管線と呼ぶ）からなる複数枚の２値血管画像に対応する２値血管画像データＤＤ（ＤＤ１、ＤＤ２、……、ＤＤｎ）のうちから１枚の２値血管画像を選択し、当該選択した２値血管画像に対応する２値血管画像データを所定の形式からなる登録認証情報ＲＣとして生成し、これを制御部２１に送出する。
【００４２】
制御部２１は、このようにして血管撮像駆動部２８、画像処理部２９及び認証部３０を制御することによって当該認証部３０から登録認証情報ＲＣを受け取ると、この登録認証情報ＲＣを記憶部２４に送出して登録すると共に、当該血管撮像駆動部２８、画像処理部２９及び認証部３０に対する制御を解除するようにして血管撮像部１０を停止させる。
【００４３】
このようにしてこの制御部２１は、血管登録モードを実行することができるようになされている。
【００４４】
これに対して制御部２１は、操作部８から認証モードの実行命令ＣＯＭ２が与えられた場合には、ＲＯＭ（図示せず）に格納された対応するプログラムに基づいて、動作モードを認証モードに遷移して血管撮像駆動部２８、画像処理部２９及び認証部３０をそれぞれ制御すると共に、記憶部２４に登録された登録認証情報ＲＣを読み出して認証部３０に送出する。
【００４５】
この場合、血管撮像駆動部２８は、上述の血管登録モードの場合と同様に血管撮像部１０を起動する。また画像処理部２９は、この血管撮像部１０から順次出力される血管画像信号ＳＡ（ＳＡ１、ＳＡ２、……、ＳＡｎ）に対して上述の血管登録モードの場合と同様にして各種処理を施し、この結果得られる２値血管画像データＤＤ（ＤＤ１、ＤＤ２、……、ＤＤｎ）を認証部３０に送出する。
【００４６】
認証部３０は、この複数枚の２値血管画像データＤＤ（ＤＤ１、ＤＤ２、……、ＤＤｎ）に基づく２値血管画像と、制御部２１により記憶部２４から読み出された登録認証情報ＲＣに基づく２値血管画像とを照合する。
【００４７】
そして認証部３０は、この照合度合いに応じて、このとき血管撮像部１０で撮像されている撮像者が登録者であるか否かを判定し、この判定結果を判定データＤ１として制御部２１に送出する。
【００４８】
制御部２１は、このようにして血管撮像駆動部２８、画像処理部２９及び認証部３０を制御することによって当該認証部３０から判定データＤ１を受け取ると、この判定データＤ１に基づいて例えばセキュリティ解除等の各種処理を実行すると共に、当該血管撮像駆動部２８、画像処理部２９及び認証部３０に対する制御を解除するようにして血管撮像部１０を停止させる。
【００４９】
このようにしてこの制御部２１は、認証モードを実行することができるようになされている。
【００５０】
このようにこの携帯電話機１では、生体の内方に介在する固有構造物の血管を認証対象として本人（登録者）の有無を判定する生体認証を実行することにより、生体表面に有する指紋等を対象とする場合に比して、生体からの直接的な盗用のみならず第三者による登録者への成りすましをも防止できるようになされている。
【００５１】
（１−４）認証モード時の具体的な処理内容
次に、この携帯電話機１に搭載された認証モード時の具体的な処理内容について説明する。
【００５２】
この認証部３０では、細線化部２９Ｄ（図４）から順次供給される複数枚の２値血管画像データＤＤ（ＤＤ１、ＤＤ２、……、ＤＤｎ）に基づく２値血管画像と、制御部２１により記憶部２４から読み出された登録認証情報ＲＣに基づく２値血管画像とに対して、順次連続的に通常照合処理を行い得るようになされている。
【００５３】
この場合、認証部３０では、まず細線化部２９Ｄ（図４）から供給される２値血管画像データＤＤ１に基づく２値血管画像と、制御部２１により記憶部２４から読み出された登録認証情報ＲＣに基づく２値血管画像とに対して、例えばすべての範囲における相互相関値を算出するようにして、２値血管画像同士を照合する。
【００５４】
そして認証部３０は、この照合結果として、所定閾値以下の相互相関値が得られたときには、この２値血管画像データＤＤ１に基づく２値血管画像における通常照合処理を終了し、続いて供給される２値血管画像データＤＤ２に基づく２値血管画像と、登録認証情報ＲＣに基づく２値血管画像とに対して、上述の場合と同様に２値血管画像同士を照合する。
【００５５】
このようにこの認証部３０では、この後照合結果として、所定閾値以下の相互相関値が得られたときには、登録認証情報ＲＣに基づく２値血管画像に対して、細線化部２９Ｄ（図４）から順次供給される複数枚の２値血管画像データＤＤ（ＤＤ３、ＤＤ４、……、ＤＤｎ）に基づく２値血管画像を順次連続的に通常照合処理するようになされている。
【００５６】
これに対して認証部３０は、この照合結果として、当該閾値よりも大きい相互相関値が得られたときには、撮像者が登録者本人であると判定し、この判定結果を判定データＤ１として制御部２１に送出して、この通常照合処理を停止し得るようになされている。
【００５７】
かかる構成に加えて認証部３０では、通常照合処理を行うに際し、登録認証情報ＲＣに基づく２値血管画像に対して、予め通常照合処理を行う２値血管画像データＤＤ（ＤＤ１、ＤＤ２、……、ＤＤｎ）に基づく２値血管画像を推定するようにして検出し得るようになされている。
【００５８】
実際上、認証部３０では、通常照合処理を行う前に、簡易照合処理を行う２段階の照合処理を行い得るようになされている。
【００５９】
このとき認証部３０は、まず細線化部２９Ｄ（図４）から供給される２値血管画像データＤＤ１に基づく２値血管画像と、制御部２１により記憶部２４から読み出された登録認証情報ＲＣに基づく２値血管画像とに対して、例えば所定の範囲に限定した範囲における相互相関値を算出するようにして、２値血管画像同士を照合する。
【００６０】
そして認証部３０は、この照合結果として、所定閾値以下の相互相関値が得られたときには、この２値血管画像データＤＤ１に基づく２値血管画像における簡易照合処理を終了し、この後、照合結果として、所定閾値以下の相互相関値が得られたときには、登録認証情報ＲＣに基づく２値血管画像に対して、細線化部２９Ｄ（図４）から順次供給される複数枚の２値血管画像データＤＤ（ＤＤ２、ＤＤ３、……、ＤＤｎ）に基づく２値血管画像を順次連続的に簡易照合処理するようになされている。
【００６１】
このようにして認証部３０では、先に簡易照合処理を行うことによって、供給される２値血管画像データＤＤ（ＤＤ１、ＤＤ２、……、ＤＤｎ）に基づく２値血管画像のうちのすべての２値血管画像に対して、通常照合処理を行う必要がないため、この結果、照合処理を短縮することができるようになされている。
【００６２】
これに対して認証部３０は、この照合結果として、当該閾値よりも大きい相互相関値が得られたときには、この後簡易照合処理から通常照合処理に切り換えて、２値血管画像データＤＤ１に基づく２値血管画像と、登録認証情報ＲＣに基づく２値血管画像とに対して、通常照合処理を行うようになされている。
【００６３】
なお認証部３０は、通常照合処理が開始されると、通知データＤ２を生成し、これを制御部２１に送出する。これにより、通知データＤ２に基づくピープ音をスピーカ７から出力したり、通知データＤ２に基づいてＬＥＤ（図示せず）を点滅させることができ、かくしてユーザに照合位置を直感的に認識させることができるようになされている。
【００６４】
また認証部３０では、細線化部２９Ｄ（図４）から供給される２値血管画像データＤＤ（ＤＤ１、ＤＤ２、……、ＤＤｎ）のうち、例えば２値血管画像データＤＤ１に基づく２値血管画像及び２値血管画像データＤＤ２に基づく２値血管画像や、２値血管画像データＤＤ１５に基づく２値血管画像及び２値血管画像データＤＤ１６に基づく２値血管画像については、ほとんど同じ状態の２値血管画像であると考えられるため、所定の画像間隔を保つようにして間引き処理を行うようになされている。
【００６５】
すなわち認証部３０は、細線化部２９Ｄ（図４）から供給される２値血管画像データＤＤ（ＤＤ１、ＤＤ２、……、ＤＤｎ）のうち、例えば１０画像間隔ごとの２値血管画像データＤＤ（ＤＤ１、ＤＤ１０、ＤＤ２０、……）と、登録認証情報ＲＣに基づく２値血管画像とに対して、順次連続的に簡易照合処理を行う。
【００６６】
このようにして認証部３０においては、ほとんど同じ状態の２値血管画像に対して照合処理を行うことなく順次連続的に簡易照合処理を行うことができるため、この結果、照合処理を短縮することができるようになされている。
【００６７】
このとき認証部３０においては、通常照合処理が開始されると、次に簡易照合処理を行う２値血管画像データＤＤ（ＤＤ１、ＤＤ１０、ＤＤ２０、……）に基づく２値血管画像までの間の２値血管画像データＤＤに基づく２値血管画像と、登録認証情報ＲＣに基づく２値血管画像とに対して、間引き処理を停止するようになされている。
【００６８】
なお認証部３０は、細線化部２９Ｄ（図４）から供給される２値血管画像データＤＤ（ＤＤ１、ＤＤ２、……、ＤＤｎ）と、登録認証情報ＲＣに基づく２値血管画像との照合処理を開始してから、所定の時間内に撮像者が登録者本人であると判定されないときには、このとき血管撮像部２で撮像している撮像者が登録者ではないと判定し、この判定結果を判定データＤ１として、制御部２１に送出して、この照合処理を停止し得るようになされている。
【００６９】
（１−５）認証モード制御処理手順
ここで上述のような認証部３０の認証モード時の具体的な処理を制御する制御部２１による認証モード制御処理手順は、ＲＯＭ（図示せず）内に格納された制御プログラムに基づき、図５に示す認証モード制御処理手順ＲＴ１に従って実行する。
【００７０】
すなわち制御部２１は、ユーザが操作部８を操作することにより認証モードに遷移されると、認証モード制御手順ＲＴ１をステップＳＰ０において開始し、続くステップＳＰ１において、血管撮像部１０を起動し、この血管撮像部１０から順次出力される血管画像信号ＳＡ（ＳＡ１、ＳＡ２、……、ＳＡｎ）に対して上述の血管登録モードの場合と同様にして各種処理を施し、この結果得られる２値血管画像データＤＤ（ＤＤ１、ＤＤ２、……、ＤＤｎ）を認証部３０に送出する。
【００７１】
続いて制御部２１は、この後ステップＳＰ２に進んで、供給される２値血管画像データＤＤ（ＤＤ１、ＤＤ２、……、ＤＤｎ）に対して所定の画像間隔を保つようにして間引き処理を行う。
【００７２】
続いて制御部２１は、この後ステップＳＰ３に進んで、２値血管画像データＤＤ（ＤＤ１、ＤＤ１０、ＤＤ２０、……）に基づく２値血管画像と、登録認証情報ＲＣに基づく２値血管画像とに対して、例えば所定の範囲に限定した範囲における相互相関値を算出するようにして、２値血管画像同士を照合する。
【００７３】
続いて制御部２１は、この後ステップＳＰ４に進んで、２値血管画像データＤＤ（ＤＤ１、ＤＤ１０、ＤＤ２０、……）に基づく２値血管画像と、登録認証情報ＲＣに基づく２値血管画像との簡易照合結果の相互相関値が所定閾値よりも大きいか否かを判断する。そして制御部２１は、このステップＳＰ４において否定結果を得るとステップＳＰ７に進み、これに対して肯定結果を得るとステップＳＰ５に進んで、次に簡易照合処理を行う２値血管画像データＤＤ（ＤＤ１、ＤＤ１０、ＤＤ２０、……）に基づく２値血管画像までの間の２値血管画像データＤＤ（ＤＤ１、ＤＤ２、……、ＤＤｎ）に基づく２値血管画像と、登録認証情報ＲＣに基づく２値血管画像とに対して、通常照合処理を行う。
【００７４】
続いて制御部２１は、この後ステップＳＰ６に進んで、２値血管画像データＤＤ（ＤＤ１、ＤＤ２、……、ＤＤｎ）に基づく２値血管画像と、登録認証情報ＲＣに基づく２値血管画像との通常照合結果の相互相関値が所定閾値よりも大きいか否かを判断する。そして制御部２１は、このステップＳＰ４において否定結果を得るとステップＳＰ７に進んで、２値血管画像データＤＤ（ＤＤ１、ＤＤ２、……、ＤＤｎ）に基づく２値血管画像と、登録認証情報ＲＣに基づく２値血管画像との照合処理を開始してから所定の時間が経過したか否かを判断する。
【００７５】
そして制御部２１は、このステップＳＰ４において否定結果を得るとステップＳＰ３に戻り、この後ステップＳＰ３〜ステップＳＰ７について同様の処理を繰り返し、これに対して肯定結果を得るとステップＳＰ８に進んで、２値血管画像データＤＤ（ＤＤ１、ＤＤ２、……、ＤＤｎ）に基づく２値血管画像と、登録認証情報ＲＣに基づく２値血管画像との認証を拒否し、この後ステップＳＰ１０に進んでこの認証モード制御処理手順ＲＴ１を終了する。
【００７６】
やがて制御部２１は、このステップＳＰ６において肯定結果を得ると、ステップＳＰ９に進んで、２値血管画像データＤＤ（ＤＤ１、ＤＤ２、……、ＤＤｎ）に基づく２値血管画像と、登録認証情報ＲＣに基づく２値血管画像とを認証し、この後ステップＳＰ１０に進んで、この認証モード制御処理手順ＲＴ１を終了する。
【００７７】
（１−６）動作及び効果
以上の構成において、この携帯電話機１では、制御部２１により記憶部２４から読み出された登録認証情報ＲＣに基づく２値血管画像に対して、細線化部２９Ｄから順次供給される複数枚の２値血管画像データＤＤに基づく２値血管画像を順次連続的に照合し、登録者本人を表す照合結果が得られたときに、照合処理を停止する。
【００７８】
従って、この携帯電話機１では、登録認証情報ＲＣに基づく２値血管画像に対してリアルタイムに照合処理を行うことで、登録者本人を表す照合結果が得られたときに、即座に照合処理を停止させるようになされているため、撮像状況等に起因するノイズによって登録者本人の２値血管画像であるにもかかわらず、第三者であると誤判定し、また登録者本人を表す照合結果が得られた場合であっても、登録者に対して無駄な待ち期間を強いるといった事態を低減することができる。
【００７９】
以上の構成によれば、制御部２１により記憶部２４から読み出された登録認証情報ＲＣに基づく２値血管画像に対して、細線化部２９Ｄから順次供給される複数枚の２値血管画像データＤＤに基づく２値血管画像を順次連続的に照合し、登録者本人を表す照合結果が得られたときに、照合処理を停止することにより、登録認証情報ＲＣに基づく２値血管画像に対してリアルタイムに照合処理を行うことで、登録者本人を表す照合結果が得られたときに、即座に照合処理を停止させるようになされているので、撮像状況等に起因するノイズによって登録者本人の２値血管画像であるにもかかわらず、第三者であると誤判定し、また登録者本人を表す照合結果が得られた場合であっても、登録者に対して無駄な待ち期間を強いるといった事態を低減することができ、かくして認証精度を損なうことなく登録者に対する待ち時間を短縮することができる。
【００８０】
（２）第２の実施の形態
（２−１）携帯電話機の外観構成及び内部構成
図１〜図４は、第２の実施の形態における携帯電話機４０を示し、上述した第１の実施の形態における携帯電話機１とは、認証部４１における認証モード時の具体的な処理内容及び制御部４２における認証モード制御処理手順が異なることを除いて同様に構成されている。
【００８１】
（２−２）認証モード時の具体的な処理内容
この場合、認証部４１では、登録認証情報ＲＣに基づく２値血管画像に対して、最初に供給される２値血管画像データＤＤ１に基づく２値血管画像及び前画像に比して変化のある２値血管画像データＤＤ（ＤＤ２、ＤＤ３、……、ＤＤｎ）に基づく２値血管画像を順次連続的に通常照合処理を行うようになされている。
【００８２】
すなわち、認証部４１は、細線化部２９Ｄ（図４）から供給される２値血管画像データＤＤ（ＤＤ１、ＤＤ２、……、ＤＤｎ）のうち、例えば最初に供給される２値血管画像データＤＤ１に基づく２値血管画像と、登録認証情報ＲＣに基づく２値血管画像とに対して通常照合処理を行う一方、当該２値血管画像データＤＤ１に基づく２値血管画像を参照画像として、例えば任意の２つのファイルデータの異なる部分を検出するコマンドであるＤＩＦ（difference）等を用いることにより、次に供給される２値血管画像データＤＤ２に基づく２値血管画像との差分を計算する。
【００８３】
このとき認証部４１は、この差分計算結果として、所定閾値以下の計算値が得られたときには、この２値血管画像データＤＤ２に基づく２値血管画像と、登録認証情報ＲＣに基づく２値血管画像との通常照合処理を行わないようになされている。
【００８４】
そして認証部４１は、この後２値血管画像データＤＤ１に基づく２値血管画像に対して、細線化部２９Ｄ（図４）から順次供給される複数枚の２値血管画像データＤＤ（ＤＤ３、ＤＤ４、……、ＤＤｎ）に基づく２値血管画像を順次連続的に差分計算処理を行い、この差分計算結果として、所定閾値以下の相互相関値が得られたときには、これら複数枚の２値血管画像データＤＤ（ＤＤ３、ＤＤ４、……、ＤＤｎ）に基づく２値血管画像と、登録認証情報ＲＣに基づく２値血管画像との通常照合処理を行わないようになされている。
【００８５】
これに対して認証部４１は、この差分計算結果として、当該閾値よりも大きい計算値が得られたときには、２値血管画像データＤＤ２に基づく２値血管画像と、登録認証情報ＲＣに基づく２値血管画像とに対して通常照合処理を行う一方、参照画像を２値血管画像データＤＤ２に基づく２値血管画像に切り換えて、次に供給される２値血管画像データＤＤ３に基づく２値血管画像との差分を計算するようになされている。
【００８６】
このようにして認証部４１では、先に供給される２値血管画像データＤＤｎ−１に基づく２値血管画像と、その後に供給される２値血管画像データＤＤｎに基づく２値血管画像との差分を計算し、所定閾値よりも大きい計算値が得られたときに、２値血管画像データＤＤｎに基づく２値血管画像と、登録認証情報ＲＣに基づく２値血管画像との通常照合処理を行うようになされている。
【００８７】
（２−３）認証モード制御処理手順
ここで上述のような認証部４１の認証モード時の具体的な処理を制御する制御部４２による認証モード制御処理手順は、ＲＯＭ（図示せず）内に格納された制御プログラムに基づき、図６に示す認証モード制御処理手順ＲＴ２に従って実行する。
【００８８】
すなわち制御部４２は、ユーザが操作部８を操作することにより認証モードに遷移されると、認証モード制御手順ＲＴ２をステップＳＰ１１において開始し、続くステップＳＰ１２において、血管撮像部１０を起動し、この血管撮像部１０から順次出力される血管画像信号ＳＡ（ＳＡ１、ＳＡ２、……、ＳＡｎ）に対して上述の血管登録モードの場合と同様にして各種処理を施し、この結果得られる２値血管画像データＤＤ（ＤＤ１、ＤＤ２、……、ＤＤｎ）を認証部４１に送出する。
【００８９】
続いて制御部４２は、この後ステップＳＰ１３に進んで、最初に供給される２値血管画像データＤＤ１に基づく２値血管画像と、登録認証情報ＲＣに基づく２値血管画像とに対して、通常照合処理を行う。
【００９０】
続いて制御部４２は、この後ステップＳＰ１４に進んで、２値血管画像データＤＤ１に基づく２値血管画像と、登録認証情報ＲＣに基づく２値血管画像との通常照合結果の相互相関値が所定閾値よりも大きいか否かを判断する。
【００９１】
そして制御部４２は、このステップＳＰ１４において肯定結果を得るとステップＳＰ２２に進み、これに対して否定結果を得るとステップＳＰ１５に進んで、２値血管画像データＤＤ（ＤＤ１、ＤＤ２、……、ＤＤｎ）に基づく２値血管画像を参照画像として、次に供給される２値血管画像データＤＤ（ＤＤ２、ＤＤ３、……、ＤＤｎ）に基づく２値血管画像との差分計算処理を行う。
【００９２】
続いて制御部４２は、この後ステップＳＰ１６に進んで、参照画像である２値血管画像データＤＤ（ＤＤ１、ＤＤ２、……、ＤＤｎ）に基づく２値血管画像と、２値血管画像データＤＤ（ＤＤ２、ＤＤ３、……、ＤＤｎ）に基づく２値血管画像との差分計算結果の計算値が所定閾値よりも大きいか否かを判断する。
【００９３】
そして制御部４２は、このステップＳＰ１６において否定結果を得るとステップＳＰ１７に進んで、２値血管画像データＤＤ（ＤＤ２、ＤＤ３、……、ＤＤｎ）に基づく２値血管画像と、登録認証情報ＲＣに基づく２値血管画像との通常照合処理を行わずに、この後ステップＳＰ２０に進み、これに対して肯定結果を得るとステップＳＰ１８に進んで、参照画像を２値血管画像データＤＤ（ＤＤ２、ＤＤ３、……、ＤＤｎ）に基づく２値血管画像に切り換えると共に、２値血管画像データＤＤ（ＤＤ２、ＤＤ３、……、ＤＤｎ）に基づく２値血管画像と、登録認証情報ＲＣに基づく２値血管画像とに対して通常照合処理を行う。
【００９４】
続いて制御部４２は、この後ステップＳＰ１９に進んで、２値血管画像データＤＤ（ＤＤ２、ＤＤ３、……、ＤＤｎ）に基づく２値血管画像と、登録認証情報ＲＣに基づく２値血管画像との通常照合結果の相互相関値が所定閾値よりも大きいか否かを判断する。
【００９５】
そして制御部４２は、このステップＳＰ１９において否定結果を得るとステップＳＰ２０に進んで、２値血管画像データＤＤ（ＤＤ１、ＤＤ２、……、ＤＤｎ）に基づく２値血管画像と、登録認証情報ＲＣに基づく２値血管画像との照合処理を開始してから所定の時間が経過したか否かを判断する。
【００９６】
そして制御部４２は、このステップＳＰ２０において否定結果を得るとステップＳＰ１５に戻り、この後ステップＳＰ１５〜ステップＳＰ２０について同様の処理を繰り返し、これに対して肯定結果を得るとステップＳＰ２１に進んで、２値血管画像データＤＤ（ＤＤ１、ＤＤ２、……、ＤＤｎ）に基づく２値血管画像と、登録認証情報ＲＣに基づく２値血管画像との認証を拒否し、この後ステップＳＰ２３に進んでこの認証モード制御処理手順ＲＴ２を終了する。
【００９７】
やがて制御部４２は、このステップＳＰ１９において肯定結果を得ると、ステップＳＰ２２に進んで、２値血管画像データＤＤ（ＤＤ１、ＤＤ２、……、ＤＤｎ）に基づく２値血管画像と、登録認証情報ＲＣに基づく２値血管画像とを認証し、この後ステップＳＰ２３に進んで、この認証モード制御処理手順ＲＴ２を終了する。
【００９８】
（２−４）動作及び効果
以上の構成において、この携帯電話機４０では、登録認証情報ＲＣに基づく２値血管画像に対して、最初に供給される２値血管画像データＤＤ１に基づく２値血管画像及び前画像に比して変化のある２値血管画像データＤＤに基づく２値血管画像を順次連続的に照合する。
【００９９】
従って、この携帯電話機４０では、登録認証情報ＲＣに基づく２値血管画像に対して、照合処理を行った２値血管画像データＤＤに基づく２値血管画像と変化のない２値血管画像については照合処理を行わないので、無駄な照合処理を何度も行わないことから、処理負荷を低減させることができると共に、所定の画像間隔を保つように間引き処理を行う場合に比して、より動きのある２値血管画像データＤＤに基づく２値血管画像に対してもリアルタイムに照合処理を行うことができるため、登録者に対して無駄な待ち期間を強いるといった事態をさらに低減することができる。
【０１００】
以上の構成によれば、登録認証情報ＲＣに基づく２値血管画像に対して、最初に供給される２値血管画像データＤＤ１に基づく２値血管画像及び前画像に比して変化のある２値血管画像データＤＤに基づく２値血管画像を順次連続的に照合することにより、録認証情報ＲＣに基づく２値血管画像に対して、照合処理を行った２値血管画像データＤＤに基づく２値血管画像と変化のない２値血管画像については照合処理を行わないので、無駄な照合処理を何度も行わないことから、処理負荷を低減させることができると共に、所定の画像間隔を保つように間引き処理を行う場合に比して、より動きのある２値血管画像データＤＤに基づく２値血管画像に対してもリアルタイムに照合処理を行うことができるため、登録者に対して無駄な待ち期間を強いるといった事態をさらに低減することができ、かくして認証精度を損なうことなく登録者に対する待ち時間を短縮することができる。
【０１０１】
（３）他の実施の形態
なお上述の実施の形態においては、認証対象のパターン情報に基づいて、登録された登録パターン情報に対応する認証対象であるか否かを判定する認証装置として、折り畳み可能に形成した携帯電話機１又は携帯電話機４０を適用するようにした場合について述べたが、本発明はこれに限らず、例えば折り畳み型以外のこの他種々の形状の携帯電話機に適用することができ、また例えばＰＤＡ（Personal Digital Assistants）やパーソナルコンピュータのような情報処理端末装置あるいは家庭用電子機器、通信機能を有するこの他種々の通信端末装置に適用することができる。
【０１０２】
また上述の実施の形態においては、認証対象として、生体の指ＦＧに対して本発明を適用した場合について述べたが、本発明はこれに限らず、手の平や生体の網膜、生体の全身等、この他種々の生体の部位に適用することができ、また例えば紙の紋様等の生体の部位以外のこの他種々の動的対象に適用するようにしても良い。
【０１０３】
さらに上述の実施の形態においては、登録パターン情報として、複数枚の２値血管画像に対応する２値血管画像データＤＤ（ＤＤ１、ＤＤ２、……、ＤＤｎ）のうちから１枚の２値血管画像を選択した場合について述べたが、本発明はこれに限らず、複数のパターン情報を登録するようにしても良い。これにより、複数の登録パターン情報に対して、抽出手段により抽出された各パターン情報を順次連続的に照合することによって、さらに認証精度を向上させることができる。
【０１０４】
さらに上述の実施の形態においては、上記登録パターン情報とを上記照合手段の照合条件よりも簡易な照合条件として、供給される２値血管画像データＤＤ１に基づく２値血管画像と、登録認証情報ＲＣに基づく２値血管画像とに対して、例えば所定の範囲に限定した範囲における相互相関値を算出するようにして、２値血管画像同士を照合した場合について述べたが、本発明はこれに限らず、この他種々の簡易照合方法を適用することができる。
【０１０５】
例えば、供給される２値血管画像データＤＤに基づく２値血管画像を粗い画像に変換して照合処理を行うようにしても良く、また登録認証情報ＲＣに基づく２値血管画像と、２値血管画像データＤＤに基づく２値血管画像との位置合わせや総画素数によって、照合処理を行うようにしても良く、さらにこれらを組み合わせて照合処理を行うようにしても良い。
【０１０６】
さらに上述の実施の形態においては、抽出された各上記パターン情報のうち、所定情報数おきの各上記パターン情報と、上記登録パターン情報とを上記簡易な照合条件として、２値血管画像データＤＤ（ＤＤ１〜ＤＤｎ）のうち、例えば１０画像間隔ごとに間引き処理を行った場合について述べたが、本発明はこれに限らず、例えば３０画像間隔や、１００画像間隔等の１０画像間隔以外のこの他種々の間隔で間引き処理を行うようにしても良い。
【０１０７】
さらに上述の実施の形態においては、上記抽出手段により抽出された時間軸上に連続する各上記パターン情報のうち、着目する上記パターン情報の前に抽出された上記パターン情報に比して変化のあるパターン情報を検出する検出手段として、例えば任意の２つのファイルデータの異なる部分を検出するコマンドであるＤＩＦ（difference）等を用いることにより、次に供給される２値血管画像データＤＤ２に基づく２値血管画像との差分を計算した場合について述べたが、本発明はこれに限らず、この他種々の前画像に比して変化のある２値血管画像データＤＤに基づく２値血管画像を検出する方法を用いるようにしても良い。
【０１０８】
さらに上述の実施の形態においては、最初に供給される２値血管画像データＤＤ１に基づく２値血管画像と、登録認証情報ＲＣに基づく２値血管画像とに対して通常照合処理を行うようにした場合について述べたが、本発明はこれに限らず、最初に供給される２値血管画像データＤＤ１に基づく２値血管画像と、登録認証情報ＲＣに基づく２値血管画像とに対して通常照合処理を行わなくとも良い。
【０１０９】
さらに上述の実施の形態においては、認証対象を撮像する撮像手段として、図３に示した構成からなる血管撮像部１０を適用するようにした場合について述べたが、本発明はこれに限らず、この他種々の構成からなる撮像部を適用することができる。
【産業上の利用可能性】
【０１１０】
本発明は、携帯電話以外の種々の機器において第三者から各種データの秘匿性を確保する場合等に利用可能である。
【図面の簡単な説明】
【０１１１】
【図１】本実施の形態による携帯電話機の構成を示す略線図である。
【図２】指を配置又は移動した場合の携帯電話機の様子を示す略線図である。
【図３】血管撮像部の具体的構成を示す略線図である。
【図４】本実施の形態による携帯電話機の内部構成を示すブロック図である。
【図５】第１の実施の形態による認証モード制御処理手順を示すフローチャートである。
【図６】第２の実施の形態による認証モード制御処理手順を示すフローチャートである。
【符号の説明】
【０１１２】
１、４０……携帯電話機、８……操作部、１０……血管撮像部、１１……撮像開口部、１３……カメラ部、１４……近赤外光光源、１７……ＣＣＤ撮像素子、２１、４２……制御部、２２……通信処理部、２３……撮像処理部、２４……記憶部、２８……血管撮像駆動部、２９……画像処理部、３０、４１……認証部。
【図１】
2006221256.tif 000003
【図２】
2006221256.tif 000004
【図３】
2006221256.tif 000005
【図４】
2006221256.tif 000006
【図５】
2006221256.tif 000007
【図６】
2006221256.tif 000008